(57)【要約】【課題】安価で作業性のよい分岐及び分配器を提供する。【解決手段】本体の内部には伝送信号を分岐及び分配するための回路手段を有し，本体の外壁には伝送経路を介して前記回路手段と他の機器に接続するための同軸接栓座を有する分岐及び分配器において，該分岐及び分配器の本体に備えられた前記同軸接栓座の突出方向は，該同軸接栓座の軸線が並行配置されるように同じ方向を向けて配列し，前記本体における前記同軸接栓座の配列方向の両端部には，該端部に着脱自在に嵌合させるように構成した着脱部と，前記本体を設置すべき面に固定できるように構成した固定部と，から成る本体支持台を備え，前記本体支持台の着脱部と前記本体とは，前記同軸接栓座の突出方向が前記本体を設置すべき面に並行配置する場合と，前記同軸接栓座の突出方向が前記本体を設置すべき面に直交配置する場合と，に嵌合する。【選択図】  図３
2006033599.tif 000002
【特許請求の範囲】
【請求項１】
本体の内部には伝送信号を分岐及び分配するための回路手段を有し，本体の外壁には伝送経路を介して前記回路手段と他の機器に接続するための同軸接栓座を有する分岐及び分配器において，
該分岐及び分配器の本体に備えられた前記同軸接栓座の突出方向は，該同軸接栓座の軸線が並行配置されるように同じ方向を向けて配列したことを特徴とした分岐及び分配器。
【請求項２】
前記本体には，該本体を設置すべき面に固定できるように形成した取付孔を備え，
該取付孔は，前記本体が前記同軸接栓座の突出方向を前記本体を設置すべき面に並行配置する場合と，前記同軸接栓座の突出方向を前記本体を設置すべき面に直交配置する場合と，に対応可能なように形成されると共に，前記設置すべき面と当接する前記本体の外壁から外方向に突出することの無いように構成されたことを特徴とした請求項１に記載の分岐及び分配器。
【請求項３】
前記本体における前記同軸接栓座の配列方向の両端部には，該端部に着脱自在に嵌合させるように構成した着脱部と，前記本体を設置すべき面に固定できるように構成した固定部と，から成る本体支持台を備えたことを特徴とした請求項１又は請求項２に記載の分岐及び分配器。
【請求項４】
前記本体支持台の着脱部と前記本体とは，前記同軸接栓座の突出方向が前記本体を設置すべき面に並行配置する場合と，前記同軸接栓座の突出方向が前記本体を設置すべき面に直交配置する場合と，に嵌合するように形成したことを特徴とした請求項３に記載の分岐及び分配器。
【請求項５】
前記本体支持台の着脱部と前記本体とは，前記同軸接栓座の突出方向が前記本体を設置すべき面に直交した方向から，前記本体を設置すべき面に並行配置される間の任意の位置に回転自在に固定可能とした事を特徴とした請求項３に記載の分岐及び分配器。
【請求項６】
前記同軸接栓座の突出方向が前記本体を設置すべき面に並行配置された場合と，前記同軸接栓座の突出方向が前記本体を設置すべき面に直交配置された場合と，において，
前記本体の設置すべき面と，該面に垂直方向の前記本体の外壁上端との寸法が略同じになるように構成されたことを特徴とした請求項４若しくは請求項５に記載の分岐及び分配器。
【発明の詳細な説明】
【技術分野】
【０００１】
本発明は，主にテレビ共同受信システムに利用される分岐及び分配器に関し，詳しくはその分岐及び分配器の構造に関する。
【背景技術】
【０００２】
従来の分岐及び分配器は，金属ケース内に分岐回路若しくは分配回路を収納させ，前記金属ケースを設置すべき壁面に取付けた場合に，この回路に接続された複数個の入出力接栓座を前記ケースの上面と下面となる外壁に突設されており，また，前記金属ケースの両側端部から背面に突出するように形成された取付板で前記壁面に取付けする構成となっていた。
（例えば，特許文献１参照）
【０００３】
【特許文献１】実開５８−５０７２４号公報
【発明の開示】
【発明が解決しようとする課題】
【０００４】
しかし，従来の分岐及び分配器によると，該分岐及び分配器を収容ボックス等の設置範囲が限られており，且つ，狭い場所に設置するような場合，入出力接栓座が上面と下面とに分かれて配設されているため，それぞれの接栓座に接続された同軸ケーブルを所定の方向に配設するためには，該同軸ケーブルの最小曲げ半径を考慮しながら曲げて配設する場合が生じ，分岐及び分配器の周辺には同軸ケーブルを曲げて配線するだけのスペースが必要となり，前記収容ボックスの設置面を占める割合が大きくなり，他の機器を取付けるスペースが狭くなるといった問題があった。
また地上ディジタル放送の開始，液晶やＰＤＰからなる薄型テレビ受信機の普及に伴い，テレビ端子からの信号を分配する分配器等は，テレビ受信機の背面等に置いておくだけでなく，テレビ背面やＡＶラック等に収納して，スッキリとした配線を望まれる場合が多くなり，従来の構成では設置が困難になるといった問題があった。
そこで本願においては，こうした問題点を解決するためになされたものであり，
その目的は，狭い場所でも取り付けの容易な分岐及び分配器を提供することにある。
他の目的は，配線方向を選択自在な分岐及び分配器を提供することにある。
他の目的は，安価で作業性のよい分岐及び分配器を提供することにある。
他の目的は，金型コストの安価であって，汎用性の高い分岐及び分配器を提供することにある。
【課題を解決するための手段】
【０００５】
上記課題を解決するために，請求項１の発明は，本体の内部には伝送信号を分岐及び分配するための回路手段を有し，本体の外壁には伝送経路を介して前記回路手段と他の機器に接続するための同軸接栓座を有する分岐及び分配器において，該分岐及び分配器の本体に備えられた前記同軸接栓座の突出方向は，該同軸接栓座の軸線が並行配置されるように同じ方向を向けて配列した。
【０００６】
請求項２の発明は，請求項１に記載の分岐及び分配器において，前記本体には，該本体を設置すべき面に固定できるように形成した取付孔を備え，該取付孔は，前記本体が前記同軸接栓座の突出方向を前記本体を設置すべき面に並行配置する場合と，前記同軸接栓座の突出方向を前記本体を設置すべき面に直交配置する場合と，に対応可能なように形成されると共に，前記設置すべき面と当接する前記本体の外壁から外方向に突出することの無いように構成した。
【０００７】
請求項３の発明は，請求項１又は請求項２に記載の分岐及び分配器において，前記本体における前記同軸接栓座の配列方向の両端部には，該端部に着脱自在に嵌合させるように構成した着脱部と，前記本体を設置すべき面に固定できるように構成した固定部と，から成る本体支持台を備えた。
【０００８】
請求項４の発明は，請求項３に記載の分岐及び分配器において，前記本体支持台の着脱部と前記本体とは，前記同軸接栓座の突出方向が前記本体を設置すべき面に並行配置する場合と，前記同軸接栓座の突出方向が前記本体を設置すべき面に直交配置する場合と，に嵌合するように形成した。
【０００９】
請求項５の発明は，請求項３に記載の分岐及び分配器において，前記本体支持台の着脱部と前記本体とは，前記同軸接栓座の突出方向が前記本体を設置すべき面に直交した方向から，前記本体を設置すべき面に並行配置される間の任意の位置に回転自在に固定可能とした。
【００１０】
請求項６の発明は，請求項４若しくは請求項５に記載の分岐及び分配器において，前記同軸接栓座の突出方向が前記本体を設置すべき面に並行配置された場合と，前記同軸接栓座の突出方向が前記本体を設置すべき面に直交配置された場合と，において，前記本体の設置すべき面と，該面に垂直方向の前記本体の外壁上端との寸法が略同じになるように構成した。
【発明の効果】
【００１１】
請求項１の発明によれば，本体の内部には伝送信号を分岐及び分配するための回路手段を有し，本体の外壁には伝送経路を介して前記回路手段と他の機器に接続するための同軸接栓座を有する分岐及び分配器において，該分岐及び分配器の本体に備えられた前記同軸接栓座の突出方向は，該同軸接栓座の軸線が並行配置されるように同じ方向を向けて配列したので，
取付面の周辺の状況に合わせて取付方向を選択することによって，前記分岐及び分配器の周辺に同軸ケーブルを配設するスペースを少なくすることができ取扱性のよい分岐及び分配器を提供することができる。
【００１２】
請求項２の発明によれば，請求項１に記載の分岐及び分配器において，前記本体には，該本体を設置すべき面に固定できるように形成した取付孔を備え，該取付孔は，前記本体が前記同軸接栓座の突出方向を前記本体を設置すべき面に並行配置する場合と，前記同軸接栓座の突出方向を前記本体を設置すべき面に直交配置する場合と，に対応可能なように形成されると共に，前記設置すべき面と当接する前記本体の外壁から外方向に突出することの無いように構成したので，
取付面の周辺の状況に合わせて取付方向を選択することによって，前記分岐及び分配器の周辺に同軸ケーブルを配設するスペースを少なくすると共に，取付面に取付方向が選択可能に固着可能と成るのである。また，突出部が少なく外観のスッキリした分岐及び分配器を提供できる。
【００１３】
請求項３の発明によれば，請求項１又は請求項２に記載の分岐及び分配器において，前記本体における前記同軸接栓座の配列方向の両端部には，該端部に着脱自在に嵌合させるように構成した着脱部と，前記本体を設置すべき面に固定できるように構成した固定部と，から成る本体支持台を備えたので，
本体を面ファスナーや粘着テープでもって取付面に取付けることも無く，また本体にネジ等で固着することによって傷を付けることなく取付ができる分岐及び分配器を提供できるのである。
【００１４】
請求項４の発明によれば，請求項３に記載の分岐及び分配器において，前記本体支持台の着脱部と前記本体とは，前記同軸接栓座の突出方向が前記本体を設置すべき面に並行配置する場合と，前記同軸接栓座の突出方向が前記本体を設置すべき面に直交配置する場合と，に嵌合するように形成したので，
取付面の周辺の状況に合わせて同軸接栓座の突出方向を最適化できる分岐及び分配器を提供できる。
【００１５】
請求項５の発明によれば，請求項３に記載の分岐及び分配器において，前記本体支持台の着脱部と前記本体とは，前記同軸接栓座の突出方向が前記本体を設置すべき面に直交した方向から，前記本体を設置すべき面に並行配置される間の任意の位置に回転自在に固定可能としたので，
この分岐及び分配器を設置する周囲の状況に合わせて，前記同軸接栓座の突出方向を所定位置に設定させることによって，取付場所を選ばない汎用性の高い分岐及び分配器を提供できる。
【００１６】
請求項６の発明によれば，請求項４若しくは請求項５に記載の分岐及び分配器において，前記同軸接栓座の突出方向が前記本体を設置すべき面に並行配置された場合と，前記同軸接栓座の突出方向が前記本体を設置すべき面に直交配置された場合と，において，前記本体の設置すべき面と，該面に垂直方向の前記本体の外壁上端との寸法が略同じになるように構成したので，
取付方向をどのように配設しても本体が取付面より大きく突出することなく収容可能と成るのである。
【発明を実施するための最良の形態】
【００１７】
以下に，本発明を具体化した実施形態の例を，図面を基に詳細に説明する。
図１は本発明に係る分岐及び分配器の本体を示す斜視図である。図２は本発明に係る分岐及び分配器の本体の異なる実施例を示す。図３は本発明に係る分岐及び分配器の実施形態を示す斜視図である。図４は本発明に係る分岐及び分配器の異なる使用例を示す。図５は本発明に係る分岐及び分配器の異なる実施例を示す。図６は図３に示すＡ−Ａ線方向から見たときの側面図を示し，本体の取付方向による使用例を示す。図７は本発明の分岐及び分配器を使用したテレビ受信システムのシステム例を示す。
【実施例１】
【００１８】
図１から５に示す１は本発明に係る分岐及び分配器であり，以下には説明を容易とするため特に明記しない限り分配器についての詳細を記載する。
この図において，１０は本体であり，例えばアルミダイカストを金型で成形したものである。この本体１０は図示されていないが該本体１０の一端（本図によれば底面。）を開口した箱状に形成されており。この開口部には，金属製材料（例えばアルミ材）を用いた蓋体を圧入等で固着する構造として，蓋体と本体１０とを強固に固着すると共に，外部からの妨害波等の侵入を低減するように構成されている。この本体１０の内部には図示されてはいないが，分配回路が形成されたプリント基板等からなる回路手段が収納されている。
また，この本体１０の側面１１には，前記本体１０と一体に成形されたＦ型接栓座１１ａから１１ｅが，該接栓座の軸線が側面１１と直交する方向（所謂，前記開口部と対向する面。）に突設されており，前記回路手段と他の機器に接続できるように構成されている。
このように接栓座が全て同一方向を向いて形成されているので，金型構造が簡単となり，延いては製品のコストを安くすることができる。
【００１９】
また本体１０の両端部には，図２に示す如く前記側面１１から底面方向に形成した取付孔１５ａと，当該取付孔に直交する方向に形成した取付孔１５ｂを形成してもよい。この取付孔１５ａ，１５ｂは，本体１０を設置すべき取付面４０に固着するためのものであり，例えば木ネジ等を取付孔１５ａ，１５ｂに挿入して，該木ネジを取付面４０に羅着することによって本体１０を取付面４０に固着する。また，取付孔が２方向に形成してあることから，本体を取付面４０に固定する場合に，接栓座が取付面４０に対して直交するように取付ができるし，接栓座が取付面４０に対して並行配置されるように取付ができる。
また図１に示すように取付孔を形成しなくてもよく，この場合は，取付面４０と本体１０の当接面に面ファスナーや粘着テープ等を貼り付けることによって，該テープによって取付面４０に固着するようにしてもよい。
【００２０】
また，図３に示す如く，本体支持台２０を前記本体１０の両端部に取付けて，該本体１０を設置すべき取付面４０に取付ける方法でもよい。この本体支持台２０は，例えば合成樹脂材料を金型で成形してなり，本体の両端部と嵌合させて着脱自在に形成した着脱部２１と，取付面に木ネジ３０で固着するための取付孔２２ａを備えた固定部２２とからなる。
本発明の実施例では，前記着脱部２１は前記本体２０の両端の形状に嵌合するように形成されており，例えば本体２０の両端の形状が正方形となるように形成されておれば，図４に示す如く本体１０を接栓座が上方を向いた位置から，手前方向の９０°回転させて取付けても，奥行方向に９０°回転させて取付けても，取付面４０と本体１０の側面との距離が略同じとなるように取付することができるのである。
【００２１】
尚，この実施例の場合，本体１０には取付孔１５ａ，１５ｂは特に設けなくてもよいことは言うまでもない。
着脱部２１は上述の実施例に限定される物ではなく，例えば図５（ａ）に示す如く，本体１０の両端部には，該本体の中心から対象位置に突起部を形成し，更に本体支持台２０には，前記突起部に対応する凹部を形成した着脱部２１を形成し，前記突起部と凹部とを嵌合させることによって，本体１０を３方向に取付可能とするようにしてもよい。
また，図５（ｂ）に示す如く，着脱部２１と本体２０の両端部を枢着するように形成すれば，前記本体１０は枢着軸を回転軸として，任意の位置に配置することが可能と成るのである。この場合は，本体支持台２０は所定の弾性を有する合成樹脂材で形成し，本体との係合において摺動固着するように形成すれば任意の位置で固着可能となるのである。
更に，本体には塗装をかけて美観を浴するようにしても良いし，本体を覆うように合成樹脂材料を成形した本体カバーを具備させたものでもよい事は言うまでもない。
【００２２】
次に図６を用いて，本発明の特長である接栓座を本体１０の一側面に同一方向を向かせて配設し，更に本体１０の取付面４０に対する取付方向を変更できることの有効性について説明する。
図６（ａ），（ｂ），（ｃ）には分配器１を平面に配設する場合を示し，図６（ｄ），（ｅ），（ｆ）には分配器１を壁面に配設する場合を示す。
これらの図からもわかるように，接栓座が上面と下面とに分かれて配設されていなくて同一方向を向いて配設されているので，接栓座が上面と下面とに分かれた配設された分配器のように，それぞれの接栓座に接続された同軸ケーブルを所定の方向に配設するために，該同軸ケーブルの最小曲げ半径を考慮しながら曲げて配設することによって，分配器の周辺には同軸ケーブルを曲げて配線するために必要なスペースが半分程となる。またこれによって図６の（ａ），（ｃ），（ｄ），（ｆ）に示すように，取付面４０に方向に壁面や障害物がある場合でも，該壁面等に分配器を近接させて配設することができるのである。更に図６（ｃ），（ｅ）に示すように，取付面４０が狭くて，壁面や障害物等が両方から近接している場合であっても，接栓座の方向を取付面４０に直交する方向に配設できるので，設置場所を選ばない汎用性の高い分配器を提供できるのである。
【００２３】
次に本発明の分配器をテレビ受信システムにおいて使用した例を説明する。
図７（ａ）は本発明の分波器１の本体１０を例えばテレビ受信器等の背面に配設した例を示す。
テレビ端子５６から同軸ケーブルを介して引き込まれたテレビ信号は，分配器１に入力される。この分配器は４分配器であり，出力端子の内の３つは，テレビ受信機５０に具備された地上ディジタル放送信号の入力端子５１と，ＶＨＦ放送信号と地上アナログ放送信号の入力端子５２と，ＢＳ／ＣＳ衛星放送信号の入力端子とにそれぞれ同軸ケーブルを介して供給される。
出力端子の残りの１つには分波器５５が接続されている。この分波器５５は，ＶＨＦ及びＵＨＦ信号とＢＳ／ＣＳ信号とを分波して出力するものであり，この分波器５５の出力は同軸ケーブルを介して，例えばＶＴＲ６０のＶＵ入力端子６０ａとＢＳ／ＣＳ入力端子に入力されている。尚６５はＤＶＤレコーダー等である。
図７（ｂ）は分配器１をＡＶラック等に収納する場合を示している。この実施例は高さ方向に制限のあるＡＶラックに効率よく分配器を配設する例を示しており，ＡＶラックの側面を取付面４０として，分配器１の接栓座を取付面に直交する方向に対応させて取り付けることにより，狭い場所にも容易に配設することができるのである。
【００２４】
このように本発明の分岐及び分配器によれば，接栓座の取り付け方向を本体１０の一側面に一体的に形成し，且つ，接栓座の方向を取付面４０に直交する方向に配設したり，接栓座の方向を取付面４０に並行配置する方向に配設したり回転自在に設置することができるので，該分岐及び分配器を取付ける取付面４０が狭くて，壁面や障害物等が近接している場合であっても，設置場所に合わせて配設可能な汎用性の高い分配器を提供できるのである。
尚，本発明は上記実施の形態に限定されるものではなく，本発明の趣旨を逸脱しない範囲で各部の構成を適宜に変更して実施することも可能である。
【図面の簡単な説明】
【００２５】
【図１】本発明に係る分岐及び分配器の本体を示す斜視図である。
【図２】本発明に係る分岐及び分配器の本体の異なる実施例を示す。
【図３】本発明に係る分岐及び分配器の実施形態を示す斜視図である。
【図４】本発明に係る分岐及び分配器の異なる使用例を示す。
【図５】本発明に係る分岐及び分配器の異なる実施例を示す。
【図６】図３に示すＡ−Ａ線方向から見たときの側面図を示し，本体の取付方向による使用例を示す。
【図７】本発明の分岐及び分配器を使用したテレビ受信システムのシステム例を示す。
【符号の説明】
【００２６】
１…分配器（分岐器），１０…本体，１１…接栓座取付面，１１ａから１１ｅ…接栓座，１２…側面（嵌合部），１３…側面（嵌合部），１５…取付孔，２０…本体支持台，２１…着脱部，２２…固定部，２２ａ…取付孔，３０…取付ネジ，４０…取付面，５０…テレビ受信機，５１…地上ディジタル放送信号入力端子，５２…ＶＨＦ／ＵＨＦ入力端子，５３…ＢＳ／ＣＳ入力端子，５５…ＶＵ／ＢＳ（ＣＳ）分波器，５６…テレビ端子，６０…ＶＴＲ，６０ａ…ＶＵ入力端子，６０ｂ…ＢＳ／ＣＳ入力端子，６５…ＤＶＤレコーダー，
【図１】
2006033599.tif 000003
【図２】
2006033599.tif 000004
【図３】
2006033599.tif 000005
【図４】
2006033599.tif 000006
【図５】
2006033599.tif 000007
【図６】
2006033599.tif 000008
【図７】
2006033599.tif 000009